(57)【要約】【課題】カム筒によりレンズ保持枠を光軸方向に移動させるレンズ駆動装置において、小型化、軽量化等を図る。【解決手段】外輪郭を画定する筒体１０、筒体の内側において回動自在に支持され光軸方向Ｌ２においてカム作用をなすカム部をもつカム筒２０，３０、レンズを保持すると共にカム部に係合するフォロワ４２、５２をもつレンズ保持枠４０，５０とを備え、カム部として、カム筒１０の軸線方向Ｌ２における端面又は内周面から内側に縮径した部分にて画定され軸線方向に向かう端面により形成される端面カム２１ｃ，２２ａ，３１ｃ，３２ａを採用した。これにより、カム筒を樹脂材料等により容易に成型でき、装置を小型化、軽量化できる。【選択図】  図３
2004151165.tif 000002
【特許請求の範囲】
【請求項１】
外輪郭を画定する筒体と、前記筒体の内側において回動自在に支持され光軸方向においてカム作用をなすカム部をもつカム筒と、レンズを保持すると共に前記カム部に係合するフォロワをもつレンズ保持枠と、を備え、
前記カム部は、前記カム筒の軸線方向における端面又は内周面から内側に縮径した部分にて画定され軸線方向に向かう端面により形成される端面カムである、ことを特徴とするレンズ駆動装置。
【請求項２】
前記カム筒には、前記端面カムが複数設けられており、
前記レンズ保持枠には、前記複数の端面カムのそれぞれに係合する複数のフォロワが設けられている、
ことを特徴とする請求項２記載のレンズ駆動装置。
【請求項３】
前記カム筒は、その壁面を開口させる切欠き部を有し、
前記筒体は、光軸方向に伸長するガイド溝を有し、
前記レンズ保持枠は、前記切欠き部を通して前記ガイド溝に挿入される突起を有する、
ことを特徴とする請求項１又は２に記載のレンズ駆動装置。
【請求項４】
前記切欠き部の縁は、前記端面カムを形成し、
前記突起は、前記フォロワと一体的に形成されている、
ことを特徴とする請求項３記載のレンズ駆動装置。
【請求項５】
前記レンズ保持枠は、光軸方向において配列された第１レンズ保持枠及び第２レンズ保持枠を含み、
前記カム筒は、前記第１レンズ保持枠にカム作用を及ぼす第１カム筒及び前記第２レンズ保持枠にカム作用を及ぼす第２カム筒を含み、
前記第１レンズ保持枠を前記第１カム筒にかつ前記第２レンズ保持枠を前記第２カム筒に向けて光軸方向に付勢する付勢部材を有する、
ことを特徴とする請求項１ないし３いずれかに記載のレンズ駆動装置。
【請求項６】
前記第１カム筒及び第２カム筒は、光軸方向においてお互いの端面カムが対向するように配置され、
前記付勢部材は、第１レンズ保持枠と前記第２レンズ保持枠との間に配置されて両者を遠ざける方向に付勢する圧縮バネからなる、
ことを特徴とする請求項５記載のレンズ駆動装置。
【請求項７】
前記第１カム筒及び第２カム筒は、一体的に回動するように連結されると共に径方向外側に突出する突出片を有し、
前記筒体は、前記突出片を露出させかつ所定の角度範囲での回動を許容する開口部を有する、
ことを特徴とする請求項５又は６に記載のレンズ駆動装置。
【発明の詳細な説明】
【０００１】
【発明の属する技術分野】
本発明は、レンズを光軸方向に往復動させて変倍及び合焦動作を行うレンズ駆動装置に関し、特に、携帯電話機、携帯型パーソナルコンピュータ等の携帯情報端末機に搭載されるレンズ駆動装置に関する。
【０００２】
【従来の技術】
従来のレンズ駆動装置としては、カメラの鏡筒に適用されたものが知られている。このレンズ駆動装置は、カメラの本体に固定される固定筒、固定筒の内側において回動自在に支持され円筒面にカム溝をもつカム筒、レンズを保持すると共にカム溝に挿入されるフォロワピンをそれぞれ有する複数のレンズ保持枠等を備え、カム筒を回転させることで、カム溝がフォロワピンにカム作用を及ぼして、複数のレンズ保持枠を光軸方向に相対的に移動させて変倍動作及び合焦動作を行うものである（例えば、特許文献１参照）。
【０００３】
【特許文献１】
特開２０００−１４７３５２号公報
【０００４】
【発明が解決しようとする課題】
ところで、上記従来のレンズ駆動装置において、カム筒は比較的大きい筒状の金属材料により形成され、その内周面に機械加工を施すことによりカム溝が形成されていた。
一方、レンズ駆動装置を携帯情報端末機等に搭載するためには、小型化、軽量化等を行う必要がある。そこで、従来のようなカム筒を樹脂材料により成型（モールド）しようとすると、小型化されるにつれて、カム筒の内側にカム溝を高精度に成型するのが困難になる。
【０００５】
本発明は、上記の点に鑑みてなされたものであり、その目的とするところは、小型化、軽量化等を図りつつ、カム作用によりレンズを駆動できると共に携帯情報端末機等に搭載できるレンズ駆動装置を適用することにある。
【０００６】
【課題を解決するための手段】
本発明のレンズ駆動装置は、外輪郭を画定する筒体と、筒体の内側において回動自在に支持され光軸方向においてカム作用をなすカム部をもつカム筒と、レンズを保持すると共にカム部に係合するフォロワをもつレンズ保持枠とを備え、上記カム部は、カム筒の軸線方向における端面又は内周面から内側に縮径した部分にて画定され軸線方向に向かう端面により形成される端面カムである、ことを特徴としている。
【０００７】
この構成によれば、カム筒が回転すると、光軸方向に面する端面（カム筒の端面あるいは内周面に形成された縮径部により画定される端面）により形成される端面カムがフォロワにカム作用を及ぼし、レンズ保持枠（レンズ）は光軸方向の所望の位置に移動する。
ここで、カム部が、カム筒の内周面に形成されたカム溝ではなく、カム筒の端面により形成される端面カムであるため、カム筒を樹脂材料等により成型する場合に、型抜きが容易でかつ精密なカムを形成することができる。したがって、装置を小型化、軽量化できる。
【０００８】
上記構成において、カム筒には、端面カムが複数設けられており、レンズ保持枠には、複数の端面カムのそれぞれに係合する複数のフォロワが設けられている、構成を採用できる。
この構成によれば、カム筒に設けられた複数の端面カムに対して、レンズ保持枠に設けられた複数のフォロワがそれぞれ係合するため、カム筒の回転により生じる光軸方向への駆動力がより均一に作用し、レンズ保持枠を円滑に移動させることができる。
【０００９】
上記構成において、カム筒はその壁面を開口させる切欠き部を有し、筒体は光軸方向に伸長するガイド溝を有し、レンズ保持枠は切欠き部を通してガイド溝に挿入される突起を有する、構成を採用できる。
この構成によれば、レンズ保持枠の突起がカム筒の切欠き部を通して筒体のガイド溝に挿入されているため、カム筒が回転してカム作用を及ぼすと、カム筒の内側に配置されたレンズ保持枠は、回転することなく光軸方向に移動する。
すなわち、カム筒の内側にレンズ保持枠が配置される場合において、カム筒の成型を可能にしつつも、簡単な構成でレンズ保持枠の回り止め機構を形成することができる。
【００１０】
上記構成において、切欠き部の縁は端面カムを形成し、突起はフォロワと一体的に形成されている、構成を採用できる。
この構成によれば、切欠き部の縁を端面カムとして使用し、かつ、回り止め用の突起がフォロワと一体的に形成されているため、それぞれを別個に設ける場合に比べて構造を簡略化できる。
【００１１】
上記構成において、レンズ保持枠は、光軸方向において配列された第１レンズ保持枠及び第２レンズ保持枠を含み、カム筒は、第１レンズ保持枠にカム作用を及ぼす第１カム筒及び第２レンズ保持枠にカム作用を及ぼす第２カム筒を含み、第１レンズ保持枠を第１カム筒にかつ第２レンズ保持枠を第２カム筒に向けて光軸方向に付勢する付勢部材を有する、構成を採用できる。
この構成によれば、第１カム筒の回転により第１レンズ保持枠が光軸方向に移動し、又、第２カム筒の回転により第２レンズ保持枠が光軸方向に移動し、両者の相対的な距離が調整されることで、変倍動作又は合焦動作が行われる。
また、付勢部材により、フォロワと端面カムとが離れないように密接させられるため、確実なカム作用が得られる。
【００１２】
上記構成において、第１カム筒及び第２カム筒は、光軸方向においてお互いの端面カムが対向するように配置され、付勢部材は、第１レンズ保持枠と第２レンズ保持枠との間に配置されて両者を遠ざける方向に付勢する圧縮バネからなる、構成を採用できる。
この構成によれば、第１レンズ保持枠と第２レンズ保持枠との間に（例えば一つの）圧縮バネを配置するだけで、容易に、両レンズ保持枠のフォロワを対応するカム筒の端面カムにそれぞれ密接させることができる。
【００１３】
上記構成において、第１カム筒及び第２カム筒は、一体的に回動するように連結されると共に径方向外側に突出する突出片を有し、筒体は、突出片を露出させかつ所定の角度範囲での回動を許容する開口部を有する、構成を採用できる。
この構成によれば、突出片に対して回転力を付与すると、開口部の範囲内で突出片すなわち第１カム筒及び第２カム筒が一緒に回転して、第１レンズ保持枠及び第２レンズ保持枠をそれぞれ光軸方向に移動させる。すなわち、一箇所に付与する駆動力により、変倍動作あるいは合焦動作を確実に行わせることができる。
【００１４】
【発明の実施の形態】
以下、本発明の実施の形態について、添付図面を参照しつつ説明する。
図１ないし図４は、本発明に係るレンズ駆動装置の一実施形態を示すものであり、図１及び図２は外観図、図３及び図４は内部構造を示す断面図である。
この装置は、図１ないし図４に示すように、外輪郭を画定する筒体１０、筒体１０の内側において光軸Ｌ２回りに回動自在に支持された第１カム筒２０及び第２カム筒３０、レンズＧ１を保持する第１レンズ保持枠４０、レンズＧ２を保持する第２レンズ保持枠５０、第１レンズ保持枠４０と第２レンズ保持枠５０との間に配置された付勢部材としての圧縮バネ６０、筒体１０に沿って回動自在に配置された手動操作部７０、第１レンズ保持枠４０（レンズＧ１）の前方に配置されたレンズＧ３及びプリズムＧ４等を備えている。
尚、上記の装置に対して、第２レンズ保持枠５０（レンズＧ２）の後方に、撮像素子としてのＣＣＤ８０を保持した円筒枠８１を連結することで、カメラユニットが形成される。
【００１５】
この装置において、レンズＧ３及びプリズムＧ４は第１レンズ群、レンズＧ１（及び第１レンズ保持枠４０）は第２レンズ群、レンズＧ２（及び第２レンズ保持枠５０）は第３レンズ群をそれぞれ形成しており、被写体光がＬ１方向から進入すると、プリズムＧ４にて略直角に方向変換させられてＬ２方向に進入し、レンズＧ１、レンズＧ２を経て、ＣＣＤ８０に到達する。
そして、第２レンズ群（レンズＧ１）及び第３レンズ群（レンズＧ２）が、光軸方向Ｌ２において相対的に移動させられることにより、ＣＣＤ８０の結像面に対して被写体の変倍動作及び合焦動作が行われる。尚、ＣＣＤ８０とレンズＧ２との間には、水晶フィルタ及びフェースプレート（不図示）が配置されている。
【００１６】
筒体１０は、図１、図５、図６に示すように、それぞれ樹脂材料により成型された第１筒半体１１と第２筒半体１２とを接合したものである。
第１筒半体１１は、図５に示すように、接合面１１ａ、連結穴１１ｂ、連結突起１１ｃ、ガイド壁１１ｄ、枠部１１ｅ、円弧状の外壁面に形成された開口部１１ｆ、外壁面の一部を薄くした肉抜き部１１ｇ等により形成されている。
第２筒半体１２は、図６に示すように、接合面１２ａ、連結ピン１２ｂ、連結片１２ｃ、ガイド壁１２ｄ、円弧状の外壁面に形成された開口部１２ｆ、外壁面の一部を薄くした肉抜き部１２ｇ等により形成されている。
【００１７】
そして、第１筒半体１１と第２筒半体１２とは、図１及び図７に示すように、接合面１１ａ、１２ａ同士が接合され、連結ピン１２ｂが連結穴１１ｂに嵌合され、連結片１２ｃが連結突起１１ｃにスナップフィットされてお互いに連結されることで、図１に示すように筒体１０を形成する。
また、図７に示すように、ガイド壁１１ｄ、１２ｄにより、光軸方向Ｌ２に伸長するガイド溝１０ｄが形成され、開口部１１ｆ，１２ｆにより略矩形の開口部１０ｆが形成され、肉抜き部１１ｇ，１２ｇにより手動操作部７０を摺動自在に嵌め込む肉抜き部１０ｇが形成される。
【００１８】
第１カム筒２０は、図３、図４、図７（ｂ）に示すように、筒体１０の内側において回動自在に支持されて、第１レンズ保持枠４０を光軸方向Ｌ２に移動させるものである。第１カム筒２０は、図８及び図９に示すように、大きい内径をなす内周面２１ａ、内周面２１ａから内側に縮径した内周面２１ｂ、内周面２１ｂと内周面２１ａとの段差部分により画定され軸線方向（光軸方向Ｌ２）に向かうカム部としての端面カム２１ｃ、壁面の一部を開口させる切欠き部２２、切欠き部２２の縁により画定されるカム部としての端面カム２２ａ、外周面の一部を肉抜きして形成された逃げ部２３、外周面から径方向外側に突出した突出片２４、突出片２４に形成された連結ピン２４ａ及び連結孔２４ｂ等により形成されている。
【００１９】
第１カム筒２０に形成された３つの端面カム２１ｃ，２１ｃ，２２ａは、後述する第１レンズ保持枠４０の３つのフォロワ４２とそれぞれ接触して、光軸方向Ｌ２においてカム作用を及ぼす。したがって、第１カム筒２０が回転すると、第１レンズ保持枠４０が光軸方向Ｌ２に移動させられる。
ここで、第１カム筒２０は、樹脂材料により成型（モールド）されており、カム部が端面カム２１ｃ，２２ａとして形成されているため、小型化を行いつつも、型抜きが容易に行え、精密なカム部を形成することができる。
【００２０】
第２カム筒３０は、図３、図４、図７（ａ）に示すように、筒体１０の内側において回動自在に支持されて、第２レンズ保持枠５０を光軸方向Ｌ２に移動させるものである。第２カム筒３０は、図１０及び図１１に示すように、大きい内径をなす内周面３１ａ、内周面３１ａから内側に縮径した内周面３１ｂ、内周面３１ｂと内周面３１ａとの段差部分により画定され軸線方向（光軸方向Ｌ２）に向かうカム部としての端面カム３１ｃ、壁面の一部を開口させる切欠き部３２、切欠き部３２の縁により画定されるカム部としての端面カム３２ａ、外周面の一部を肉抜きして形成された逃げ部３３、外周面から径方向外側に突出した突出片３４、突出片３４に形成された連結ピン３４ａ及び連結孔３４ｂ等により形成されている。
【００２１】
第２カム筒３０に形成された３つの端面カム３１ｃ，３１ｃ，３２ａは、後述する第２レンズ保持枠５０の３つのフォロワ５２とそれぞれ接触して、光軸方向Ｌ２においてカム作用を及ぼす。したがって、第２カム筒３０が回転すると、第２レンズ保持枠５０が光軸方向Ｌ２に移動させられる。
ここで、第２カム筒３０は、樹脂材料により成型（モールド）されており、カム部が端面カム３１ｃ，３２ａとして形成されているため、小型化を行いつつも、型抜きが容易に行え、精密なカム部を形成することができる。
【００２２】
そして、第１カム筒２０と第２カム筒３０とは、図３及び図４に示すように、光軸方向Ｌ２において、お互いの端面カム２１ｃ，２２ａ，３１ｃ，３２ａが対向するように配置され、又、連結ピン２４ａ，３４ａが連結孔３４ｂ，２４ｂにそれぞれ嵌合されて、図７（ｂ）に示すように突出片２４，３４同士が接合され、筒体１０の内側において一体的に回転するように連結されている。
突出片２４，３４は、筒体１０の開口部１０ｆから外側に露出し、図１、図３、図４、図７（ｂ）に示すように、手動操作部７０に連結されている。
【００２３】
手動操作部７０は、図１２に示すように、円筒の一部を切り取った円弧形状に形成され、略中央部に突出片２４，３４を嵌入させる嵌合孔７１、一端面に筒体１０の位置決め突起１０ｈが食い込む複数の位置決め凹部７２が形成されている。そして、手動操作部７０は、図１及び図７（ｂ）に示すように、筒体１０の肉抜き部１０ｇに対して摺動自在に取り付けられている。
したがって、手動操作部７０を回動させることにより、第１カム筒２０及び第２カム筒３０が一体となって同時に回動し、第１レンズ保持枠４０及び第２レンズ保持枠５０に対してそれぞれカム作用を及ぼすようになっている。
【００２４】
第１レンズ保持枠４０は、図３、図４に示すように、レンズＧ１を保持すると共に、光軸方向Ｌ２に移動自在に第１カム筒２０の内側に配置されている。第１レンズ保持枠４０は、図１３に示すように、樹脂材料により略円筒状に成型されており、レンズＧ１を保持する保持孔４１、略１２０度の間隔で配置され径方向外側に向けて突出する３つのフォロワ４２、一つのフォロワ４２と一体的に形成された突起４３等により形成されている。
【００２５】
そして、図３及び図４に示すように、２つのフォロワ４２が第１カム筒２０の端面カム２１ｃに当接し、その外側面４２ａが内周面２１ａに摺動自在に当接し、一つのフォロワ４２が端面カム２２ａに当接し、突起４３がカム溝１０ｄに挿入されている。これにより、第１レンズ保持枠４０は、径方向において位置決めされ、かつ、カム溝１０ｄにより回転が規制されつつ、端面カム２１ｃ，２２ａのカムプロフィルに追随して光軸方向Ｌ２にのみ移動するようになっている。
【００２６】
第２レンズ保持枠５０は、図３、図４に示すように、レンズＧ２を保持すると共に、光軸方向Ｌ２に移動自在に第２カム筒３０の内側に配置されている。第２レンズ保持枠５０は、図１４に示すように、樹脂材料により略円筒状に成型されており、レンズＧ２を保持する保持孔５１、略１２０度の間隔で配置され径方向外側に向けて突出する３つのフォロワ５２、一つのフォロワ５２と一体的に形成された突起５３等により形成されている。
【００２７】
そして、図３及び図４に示すように、２つのフォロワ５２が第２カム筒３０の端面カム３１ｃに当接し、その外側面５２ａが内周面３１ａに摺動自在に当接し、一つのフォロワ５２が端面カム３２ａに当接し、突起５３がカム溝１０ｄに挿入されている。これにより、第２レンズ保持枠５０は、径方向において位置決めされ、かつ、カム溝１０ｄにより回転が規制されつつ、端面カム３１ｃ，３２ａのカムプロフィルに追随して光軸方向Ｌ２にのみ移動するようになっている。
【００２８】
付勢部材としての圧縮バネ６０は、図３及び図４に示すように、圧縮された状態で配置されるコイル状のバネであり、第１レンズ保持枠４０の受け面４４と第２レンズ保持枠５０の受け面５４との間に配置され、光軸方向Ｌ２において両者を遠ざける方向に付勢力を及ぼしている。
したがって、この付勢力により、フォロワ４２は端面カム２１ｃ，２２ａに押し付けられ、フォロワ５２は端面カム３１ｃ，３２ａに押し付けられて、カム作用が確実に行われるようになっている。
【００２９】
円筒枠８１は、図３及び図４に示すように、ＣＣＤ８０を保持した状態で、筒体１０の後端部に嵌合される。円筒枠８１は、外輪郭が略円筒形状となるように樹脂材料により成型されており、図１５に示すように、ＣＣＤ８０を嵌め込んで保持する保持孔８１ａ、筒体１０に連結するための嵌合孔８１ｂ等により形成されている。
【００３０】
したがって、第１レンズ群（レンズＧ３、プリズムＧ４）、第２レンズ群（レンズＧ１、第１レンズ保持枠４０）、第３レンズ群（レンズＧ２、第２レンズ保持枠５０）等を筒体１０に組み込んだレンズ駆動装置に対して、ＣＣＤ８０を保持した保持枠８１を組み込むことで、小型のカメラユニットが形成される。
【００３１】
このレンズ駆動装置あるいはカメラユニットは、樹脂材料により形成された小型でかつ軽量のものであるため、携帯電話機、携帯型パーソナルコンピュータ等の携帯情報端末機等に搭載するのに都合がよい。
【００３２】
次に、上記装置の組付け手順について説明すると、先ず、第１カム筒２０内にレンズＧ１を保持した第１レンズ保持枠４０を取り付け、第２カム筒３０内にレンズＧ２を保持した第２レンズ保持枠５０を取り付ける。そして、第１レンズ保持枠４０と第２レンズ保持枠５０との間に圧縮バネ６０を挟み込み、突出片２４，３４同士を接合させるようにして第１カム筒２０と第２カム筒３０とを同軸上にて連結する。
【００３３】
そして、予めレンズＧ３及びプリズムＧ４が取り付けられた第１筒半体１１と第２筒半体１２とを用意し、突出片２４，３４が開口部１０ｆから突出しかつ突起４３，５３がガイド溝１０ｄに入り込むように、さらに光軸方向Ｌ２において位置決めされるようにして、連結した第１カム筒２０及び第２カム筒３０を両者の内側に回動自在に収容し、第１筒半体１１と第２筒半体１２とを連結（接合）して筒体１０を形成する。
【００３４】
これにより、レンズ駆動装置の組付けが完了する。さらに、筒体１０の後端部に、ＣＣＤ８０を保持した円筒枠８１を取り付けることにより、カメラユニットの組付けが完了する。このように、レンズ駆動装置あるいはカメラユニットの組付けが、簡単に、かつ、容易に行えるため、生産性を向上させることができ、又、製造コストを低減できる。
【００３５】
次に、レンズ駆動装置の動作について図３及び図４に基づき説明すると、手動操作部７０を一方向に回転させると、端面カム２１ｃ，２２ａ及び端面カム３１ｃ，３２ａのカム作用により、図３に示すように、第１レンズ保持枠４０（レンズＧ１）及び第２レンズ保持枠５０（レンズＧ２）は、相対的な距離を変化させつつ光軸方向Ｌ２の前方側（矢印Ｆ）に向けて移動し、広角撮影位置に至る。
【００３６】
一方、手動操作部７０を逆方向に回転させると、端面カム２１ｃ，２２ａ及び端面カム３１ｃ，３２ａのカム作用により、図４に示すように、第１レンズ保持枠４０（レンズＧ１）及び第２レンズ保持枠５０（レンズＧ２）は、相対的な距離を変化させつつ光軸方向Ｌ２の後方側（矢印Ｒ）に向けて移動し、望遠撮影位置に至る。
【００３７】
このように、手動操作部７０を回動させるだけで、広角〜望遠までの幅広い撮影を行うことができ、又、位置決め凹部７２と位置決め突起１０ｈとの係合により、手動操作部７０を所望の角度位置すなわち所望の変倍位置に位置決めすることができる。さらに、手動操作としたことにより、装置が簡略化され、小型化、軽量化、低コスト化に寄与する。
【００３８】
上記実施形態においては、複数のレンズ保持枠４０，５０と、複数のカム筒２０，３０とを備える構成を示したが、これに限定されるものではなく、一つのレンズ保持枠と一つのカム筒とを備える構成において、本発明を適用してもよい。また、上記実施形態においては、第１レンズ保持枠４０と第２レンズ保持枠５０とを、端面カム２１ｃ，２２ａと端面カム３１ｃ，３２ａとが光軸方向Ｌ２においてお互いに対向するように配置した場合を示したが、これに限定されるものではなく、端面カム２１ａ，２２ａと端面カム３１ｃ，３２ａが光軸方向Ｌ２においてお互いに外側（すなわち、前方側と後方側と）を向くように配置され、かつ、第１レンズ保持枠４０を第１カム筒２０に向けて又第２レンズ保持枠５０を第２カム筒３０に向けて付勢する付勢部材を採用してもよい。
【００３９】
【発明の効果】
以上述べたように、本発明のレンズ駆動装置によれば、外輪郭を画定する筒体の内側において回動自在に支持されたカム部をもつカム筒、カム筒により駆動されるレンズ保持枠を備え、カム筒のカム部を、カム筒の軸線方向における端面又は内周面から内側に縮径した部分にて画定され軸線方向に向かう端面により形成される端面カムとしたことにより、従来のようにカム部としてカム溝を形成する場合に比べて、型抜きが容易となるため、カム筒を樹脂材料等により容易に成型（モールド）することができ、精密なカムを形成することができる。したがって、装置を小型化、軽量化、低コスト化できる。
【図面の簡単な説明】
【図１】本発明に係るレンズ駆動装置の一実施形態を示す外観平面図である。
【図２】本発明に係るレンズ駆動装置の一実施形態を示す外観側面図である。
【図３】図１及び図２に示すレンズ駆動装置の内部構造を示す断面図である。
【図４】図１及び図２に示すレンズ駆動装置の内部構造を示す断面図である。
【図５】レンズ駆動装置の一部を構成する筒体の第１筒半体を示すものであり、（ａ）は前面図、（ｂ）は内側面図、（ｃ）は後面図である。
【図６】レンズ駆動装置の一部を構成する筒体の第２筒半体を示すものであり、（ａ）は前面図、（ｂ）は内側面図、（ｃ）は後面図である。
【図７】レンズ駆動装置の断面図であり、（ａ）は図２中のＥ１−Ｅ１における断面図、（ｂ）は図２中のＥ２−Ｅ２における断面図である。
【図８】レンズ駆動装置の一部を構成する第１カム筒を示すものであり、（ａ）は前面図、（ｂ）は（ａ）中のＥ３−Ｅ３における断面図である。
【図９】レンズ駆動装置の一部を構成する第１カム筒を示すものであり、（ａ）は後面図、（ｂ）は第１カム筒を展開して内側を示した展開図である。
【図１０】レンズ駆動装置の一部を構成する第２カム筒を示すものであり、（ａ）は後面図、（ｂ）は（ａ）中のＥ４−Ｅ４における断面図である。
【図１１】レンズ駆動装置の一部を構成する第２カム筒を示すものであり、（ａ）は前面図、（ｂ）は第２カム筒を展開して内側を示した展開図である。
【図１２】レンズ駆動装置の一部を構成する手動操作部を示すものであり、（ａ）は平面図、（ｂ）は（ａ）中のＥ５−Ｅ５における断面図、（ｃ）は後面図である。
【図１３】レンズ駆動装置の一部を構成する第１レンズ保持枠を示すものであり、（ａ）は前面図、（ｂ）は（ａ）中のＥ６−Ｅ６における断面図である。
【図１４】レンズ駆動装置の一部を構成する第２レンズ保持枠を示すものであり、（ａ）は前面図、（ｂ）は（ａ）中のＥ７−Ｅ７における断面図である。
【図１５】ＣＣＤを保持する円筒枠を示すものであり、（ａ）は前面図、（ｂ）は（ａ）中のＥ８−Ｅ８における断面図である。
【符号の説明】
１０  筒体
１１  第１筒半体
１２  第２筒半体
１０ｄ（１１ｄ，１２ｄ）  ガイド溝
１０ｆ（１１ｆ，１２ｆ）  開口部
２０  第１カム筒
２１ａ，２１ｂ  内周面
２１ｃ  端面カム
２２  切欠き部
２２ａ  端面カム（切欠き部の縁）
２３  肉抜き部
２４  突出片
３０  第２カム筒
３１ａ，３１ｂ  内周面
３１ｃ  端面カム
３２  切欠き部
３２ａ  端面カム（切欠き部の縁）
３３  肉抜き部
３４  突出片
４０  第１レンズ保持枠
Ｇ１  レンズ
４２  フォロワ
４３  突起
５０  第２レンズ保持枠
Ｇ２  レンズ
５２  フォロワ
５３  突起
６０  圧縮バネ（付勢部材）
７０  手動操作部
８０  ＣＣＤ
８１  円筒枠
Ｇ３  レンズ
Ｇ４  プリズム
Ｌ２  光軸方向
【図１】
2004151165.tif 000003
【図２】
2004151165.tif 000004
【図３】
2004151165.tif 000005
【図４】
2004151165.tif 000006
【図５】
2004151165.tif 000007
【図６】
2004151165.tif 000008
【図７】
2004151165.tif 000009
【図８】
2004151165.tif 000010
【図９】
2004151165.tif 000011
【図１０】
2004151165.tif 000012
【図１１】
2004151165.tif 000013
【図１２】
2004151165.tif 000014
【図１３】
2004151165.tif 000015
【図１４】
2004151165.tif 000016
【図１５】
2004151165.tif 000017